(57)【要約】【課題】婚姻を結ぶ新郎新婦のことをより良く理解するための情報を含み、後々まで新郎新婦のことが記念に残る新規なアルバムの新規なビジネス方法を提供するものである。【解決手段】新郎新婦の紹介文を含んだ写真を写真用紙に印刷したものをＩＴ技術を使って作成し、これをアルバム用の台紙に貼付して高級感をもたせたものを、新郎新婦の関係する人たちに配布する。【選択図】図１
2006137172.tif 000002
【特許請求の範囲】
【請求項１】
パソコンに取り込んだ、婚姻を結ぶ新郎新婦の複数の写真と写真の紹介文を、一枚の写真用印刷紙に印刷できるようにパソコン上で画像と文章を編集したのちに印刷する。これをアルバム用の台紙に貼付して高級感をもたせたアルバムであって、新郎新婦の写真付き紹介の項（図４）、新郎新婦の写真付き経歴の項（図５）、新郎新婦が出会ってから婚姻を結ぶまでのスナップ写真の項（図６）、の少なくとも一を項として含むことを特徴とするマリッジアルバム。
【請求項２】
婚姻を結ぶ新郎新婦が結婚披露宴やパーティーを行なう場合は、披露宴やパーティーにて請求項１のアルバムを列席者に配布し、披露宴やパーティを行なわない場合は、新郎新婦の関係する人たちに、新郎新婦に代わって請求項１のアルバムを配送することを特徴とするマリッジアルバムビジネスの方法。
【請求項３】
撮像機能付き携帯電話で撮った写真と紹介文を依頼人が携帯電話電子メールにて送信、デジタルカメラで撮った写真と紹介文を依頼人がパソコンの電子メールにて送信、デジタルカメラで撮った写真と紹介文を受信側が提供するホームページへ依頼人がファイル送信、の送信方法の少なくとも一に該当し、その送信データを受信側がパソコンで受信し、パソコン上で文章と写真画像編集したのちに印刷することを特徴とする請求項１に記載のマリッジアルバムビジネスの方法。
【請求項４】
マリッジアルバムの提供者が、利用者からその費用を銀行振込にて受け取る場合に、利用者の携帯電話番号もしくは一般電話番号にて、振り込み人確認を行なうことを特徴とする請求項目２〜３のいずれかに記載のマリッジアルバムビジネスの方法。
【発明の詳細な説明】
【発明の詳細な説明】
【技術分野】
【０００１】本発明は、婚姻を結ぶ新郎新婦（以降、当人達と呼ぶ）の関係する人たちに対し、当人達のことをより良く理解してもらうために、当人達のことを紹介した文章入り写真を含む新規な高級感のある記念写真アルバムの新規なビジネス方法に関するものである。
【背景技術】
【０００２】婚姻を結ぶ新郎新婦が、その婚姻を関係する人たちに知らせるために、結婚披露宴を行なう場合と、事情により行なわない場合がある。披露宴を行なう場合、当人達のことをより良く理解してもらうために、通常、仲人による紹介、友人や同僚達による紹介が口頭で行なわれたり、当人達のことを紹介した簡単な紙が配られている。結婚披露宴を行なわない場合においては、葉書などの方法により、簡単な結婚のお知らせが行なわれている。【０００３】披露宴を行なう場合において、仲人または友人や同僚による口頭紹介は時間的な制約、紙による紹介も紙面としての文字数の制限や紙であるために写真が使えないと言った事情があり、披露宴を行なわない場合も葉書によるお知らせという事情の為に、いずれの場合も当人達の幼少時から現在に至る経歴や、出会いから現在に至る数々のエピソード、当人達の自己紹介といった、当人達をより良く理解し親近感をより深める情報を、写真と言う視覚に訴えるものを使って当人達の関係者たちに充分に伝えられなかった。【０００４】また、いずれの場合においても紹介が口頭や簡単な紙あるいは葉書であったため、その場限りのものとして消えてゆきあるいは捨てられてゆき、当人達の婚姻を後々まで記念に残したくなるような品とはなりえなかった。【０００５】披露宴が行なわれない場合、仮に当人達がアルバムを作成しても、当人達が関係する複数の人たちにアルバムを配送するためには、当人達が配送先住所を記した封書にアルバムを封入、もしくは梱包を行なって配送する必要があり、新たな生活環境を準備し、それまでとは違った生活環境に船出をしなくてはならない当人達の多忙な状況の中で、さらに煩雑な作業をしなくてはならなかった。
【発明が解決しようとする課題】
【０００６】婚姻は当人達の関係する人たちに当人達のことをより良く理解してもらい、将来も良い関係を保つ事が大切である。本発明の課題は、写真や文章を使って当人達の関係する人たちに当人達のことをより良く紹介し、親近感をもってもらい、後々まで残る記念の品としての高級感のある新規なアルバムの新規なビジネスを提供するものであり、当人達の関係する人たちに当人達の手を煩わせることなくアルバムを配送する新規なビジネスを提供することである。
【課題を解決するための手段】
【０００７】本発明は、
１）  パソコンに取り込んだ、婚姻を結ぶ新郎新婦の複数の写真と写真の紹介文を、一枚の印刷紙に印刷できるようにパソコン上で画像と文章を編集したのちに印刷する。これをアルバム用の台紙に貼付して高級感をもたせたアルバムであって、新郎新婦の写真付き紹介の項（図４）、新郎新婦の写真付き経歴の項（図５）、新郎新婦が出会ってから婚姻を結ぶまでのスナップ写真の項（図６）、の少なくとも一を項として含むことを特徴とするマリッジアルバム、
２）  婚姻を結ぶ新郎新婦が結婚披露宴やパーティーを行なう場合は、披露宴やパーティーにて請求項１のアルバムを列席者に配布し、披露宴やパーティを行なわない場合は、新郎新婦の関係する人たちに、新郎新婦に代わって前項１）のアルバムを配送することを特徴とするマリッジアルバムビジネスの方法、
３）  撮像機能付き携帯電話で撮った写真と紹介文を依頼人が携帯電話電子メールにて送信、デジタルカメラで撮った写真と紹介文を依頼人がパソコンの電子メールにて送信、デジタルカメラで撮った写真と紹介文を受信側が提供するホームページへ依頼人がファイル送信、の送信方法の少なくとも一に該当し、その送信データを受信側がパソコンで受信し、パソコン上で文章と写真画像編集したのちに印刷することを特徴とする前項１）に記載のマリッジアルバムビジネスの方法、
４）  マリッジアルバムの提供者が、利用者からその費用を銀行振込にて受け取る場合に、利用者の携帯電話番号もしくは一般電話番号にて、振り込み人確認を行なうことを特徴とする前項２）〜３）のいずれかに記載のマリッジアルバムビジネスの方法、以上の、前項１）〜４）からなる。
【発明を実施するための最良の形態】
【０００８】以下、本発明の一実施形態を図面に基づいて説明する。図１はマリッジアルバムビジネスのプロセス図であり、１０１は申込みと費用支払いのプロセス、１０２は申込者からの写真、新郎新婦の紹介文あるいは説明文の受け取りのプロセス、１０３は１０２にて受け取った写真と紹介文あるいは説明文をパソコンで編集し印刷するプロセス、１０４は１０３で印刷したものを高級感のあるアルバム台紙に貼付しアルバムを作成し、配送先住所をパソコンで印刷したシールを貼った封書に封入梱包するプロセス、１０５は披露宴やパーティーを行なう場合にその会場でアルバムを列席者に配布するプロセス、１０６は披露宴を行なわない場合に１０４で梱包が済んだアルバムを配送するプロセスである。【０００９】まず１０１のプロセスを説明する。新郎新婦（図２−２０１）がこのビジネスを申し込む場合、インターネットのホームページに設けられた申し込み画面から、氏名、住所、携帯電話番号もしくは一般電話番号、電子メールアドレス、申し込みの意思、を入力し申し込む（図２−▲１▼参照）。【００１０】ビジネスの提供側（図２−２０２）は申し込みの情報を受けとった旨（図２−▲２▼）と費用振込み依頼を電子メールもしくは電話にて依頼人（図２−２０１）に伝え、依頼人は費用を銀行振込みする（図２−▲３▼）。この時、依頼人は申し込み時に入力した携帯電話番号もしくは一般電話番号を振込み人名として入力する。【００１１】提供側は申し込み時に入力された携帯電話番号もしくは一般電話番号と、銀行振込があった際の振込み人としての携帯電話番号もしくは一般電話番号の照合を行い（図２−▲４▼）ビジネスへの申し込み確定、費用受け取り確認、写真およびその紹介文説明文の送付を依頼する電子メールもしくは文書を依頼人に発行する（図２−▲５▼）。【００１２】次に１０２のプロセスを説明する。依頼人（図２−２０１）はアルバムとして作成したい必要な写真と紹介文や説明文を、図３の３０１電子メールによる送信、３０２メモリー機器による送付、３０３写真やフィルムとして送付、の少なくともいずれか一の方法で提供側（図２−２０２）に送る。【００１３】電子メールで写真と紹介文や説明文を送る場合（図３−３０１）、撮像機能付き携帯電話で撮った写真と紹介文を、依頼人が携帯電話電子メールにて送信、デジタルカメラで撮った写真と紹介文を依頼人がパソコンの電子メールにて送信、デジタルカメラで撮った写真と紹介文を提供側が提供するホームページへ依頼人がファイル送信、の送信方法の少なくとも一の方法で、図３の３０４のインターネットを経由し提供側の３０５のパソコンにつながった３０６のネットワークへ送信することにより、３０５のパソコンの中に写真と紹介文や説明文が保存される。【００１４】写真と紹介文や説明文をメモリー機器（図３−３０２）により送付する場合は、依頼人はメモリースティック、スマートメディア（登録商標）、コンパクトフラッシュ（登録商標）マイクロドライブ、ＳＤメモリー、ｍｉｎｉＳＤ（登録商標）、ｘＤピクチャーカード（登録商標）、マルチメディアカード（ＭＭＣ）の少なくとも一の媒体で、提供側へ郵送もしくは宅配便で送付する。提供側はこれを３０５のパソコンにつながったマルチカードリーダー（図３−３０７）で読み取り、パソコンの中に写真と紹介文や説明文が保存される。【００１５】写真と紹介文や説明文を紙焼きした写真や現像したフィルムおよび文書として送付する場合（図３−３０３）は、郵送で送付されたこれらのものを、受け取り側は３０５のパソコンにつながったスキャナー（図３−３０８）で読み取り、パソコンの中に写真と紹介文や説明文が保存される。【００１６】次に１０３のプロセスを説明する。前記【００１３】〜【００１４】の方法で受け取り、パソコン（図３−３０５）の中に保存された写真と紹介文や説明文を、パソコン（図３−３０５）もしくは別のパソコンの画像処理プログラムで編集を行い、複数の写真と紹介文や説明文を一枚の写真印刷用紙に印刷をする。【００１７】印刷をする形態として、
１）  新郎新婦の写真（図４−４０１）付き紹介欄（図４−４０２）に、氏名、誕生日、趣味のほか、血液型、信条、本人からのメッセージ、新居の住所と電話番号（図４−４０３）、の少なくとも一が記載された項の形態（図４）、
２）  新郎もしくは新婦、あるいはこの両方の、小学校未満の幼少期、小学校時代、中校学時代、高校時代、大学もしくは短大もしくは専門学校時代、社会人となって結婚するまでの時代、の少なくとも一つもしくは複数の時代の写真（図５−５０１ａ〜５０１ｄ）とその紹介文（図５−５０２ａ〜５０２ｄ）を一枚の印刷物に印刷した項の形態（図５）、
３）  新郎新婦が出会ってから婚姻を結ぶまでの、複数のスナップ写真（図６−６０１、６０３）とその説明文（図６−６０２、６０４）あるいは複数の写真のみをパソコン上で編集したのちに一枚の印刷物に印刷した項の形態（図６）、
の少なくとも一の形態で印刷する。【００１８】次に１０４〜１０６のプロセスを説明する。依頼人の要望に応じて【００１７】の１）〜３）の形態で印刷された印刷物の少なくとも一を、アルバム用台紙に貼付し印刷物の高級感を出し、アルバムとして依頼人の必要な数を作成する。依頼人が結婚披露宴やパーティーを行なう場合、必要な数のアルバムを梱包して依頼人の指定する会場の住所へ披露宴やパーティーが開催される前までに一括して送付する。披露宴当日は会場においてこのアルバムを、列席者の各席に配布しておく事により、列席者は披露宴やパーティーの事前にあるいは新婦のお色直しの時間などに繰り返しアルバムを見ることで、新郎新婦のことをより良く理解する事が出来る。【００１９】依頼人が結婚披露宴を行なわない場合は、依頼人から提示された関係者の人たちの住所、氏名をパソコンに入力し、裏面に粘着剤のついたシールにパソコンのプログラムにて印刷し、この住所氏名が印刷されたシールを封筒に貼付し、アルバムを封入した封書を、郵送もしくは宅配便にて配送する。
【発明の効果】
【００２０】以上説明したように本発明は、婚姻を結ぶ新郎新婦を、写真と紹介文や説明文が含まれたアルバムでより良く紹介を行なうことにより、新郎新婦の関係する人たちが新郎新婦のことをより一層理解し、より親近感をもつ事ができるようになり、また、そのアルバムに結婚という人生の晴れがましい状況に適する高級感を持たせることにより、これを配布された人たちが結婚の記念として後々まで保存したくなるような品物とする事が出来るようになり、さらに、新たな生活に船出する多忙な時期の新郎新婦が、関係する人たちにアルバムを配布する手間を取り除く事ができるビジネスの方法を提供する事が出来る。
【図面の簡単な説明】
【００２１】
【図１】マリッジアルバムビジネスプロセス
【図２】マリッジアルバムビジネスの依頼人と提供側のやりとり
【図３】マリッジアルバムビジネスで写真や文章を送る場合の方法
【図４】婚姻する二人の写真とプロフィール項
【図５】新郎もしくは新婦の幼少期から現在に至るまでの写真と説明文
【図６】婚姻する二人もしくは披露宴のスナップ写真と説明文
【符号の説明】
【００２２】１０１  マリッジアルバムビジネスへの申し込みと費用支払いプロセス
１０２  写真、新郎新婦の紹介文の受け取りプロセス
１０３  パソコンに取り込んだ写真、紹介文の編集と印刷プロセス
１０４  アルバムの作成、封書への送付先住所の印刷、梱包プロセス
１０５  披露宴会場、パーティー会場にて配布するプロセス
１０６  新郎新婦が関係する人達に配送するプロセス
２０１  依頼人
２０２  マリッジアルバムビジネス提供側
２０３  依頼人と提供側のやりとり
３０１  電子メール送信の場合
３０２  メモリー機器送付の場合
３０３  写真、フィルム送付の場合
３０４  インターネット
３０５  マリッジアルバムビジネス処理を行なうパソコン
３０６  インターネット経由の受信
３０７  マルチカードリーダー
３０８  スキャナー
４０１  婚姻する二人の写真
４０２  婚姻する二人のプロフィール
４０３  婚姻する二人の新居連絡先
５０１ａ  高校卒業後の写真
５０１ｂ  中学高校時代の写真
５０１ｃ  小学時代の写真
５０１ｄ  小学未満の幼少期の写真
５０２ａ  高校卒業後の写真の説明とエピソード文
５０２ｂ  中学高校時代の写真の説明とエピソード文
５０２ｃ  小学時代の写真の説明とエピソード文
５０２ｄ  小学未満の幼少期の写真の説明とエピソード文
６０１  婚姻する二人の写真
６０２  婚姻する二人の出会いとその後のエピソード文
６０３  婚姻する二人の出会いから婚姻までのスナップ写真
６０４  婚姻する二人の出会いから婚姻までのスナップ写真の説明とエピソード文
【図１】
2006137172.tif 000003
【図２】
2006137172.tif 000004
【図３】
2006137172.tif 000005
【図４】
2006137172.tif 000006
【図５】
2006137172.tif 000007
【図６】
2006137172.tif 000008